(57)【要約】【課題】発信側電話端末に対して着信側電話端末の不在解除を適切に通知可能とする。【解決手段】呼制御サーバ１において、端末状態監視部１３Ｃにより、監視先電話端末３からの不在／不在解除を示す設定メッセージの受信に応じて、当該監視先電話端末３の不在／不在解除の状態を検出し、この端末状態を当該監視先電話端末３に関連付けて監視情報１２Ｂへ登録し、端末状態通知部１３Ｄにより、端末状態監視部１３Ｃによる監視先電話端末３の不在解除の検出に応じて、監視元電話端末２へ当該監視先電話端末３の不在解除を通知する。端末検査部１３Ｅにより、監視先電話端末３の通信可否を検査し、端末検査部１３Ｅにより不在状態にある監視先電話端末３の通信不可が検出された場合、端末状態監視部１３Ｃにより、監視情報１２Ｂにおいて当該監視先電話端末３に関する不在状態の登録を維持する。【選択図】  図１
2008252206.tif 000002
【特許請求の範囲】
【請求項１】
通信網を介して電話端末と接続し、当該電話端末との間で各種制御メッセージを送受信する通信インターフェース部と、
状態監視の対象となる監視先電話端末に関する、当該監視先電話端末の状態監視を要求した監視元電話端末と、監視先電話端末の不在／不在解除を示す端末状態とを監視情報として記憶する記憶部と、
監視先電話端末からの不在／不在解除を示す設定メッセージの受信に応じて、当該監視先電話端末の不在／不在解除の状態を検出し、この端末状態を当該監視先電話端末に関連付けて前記監視情報へ登録する端末状態監視部と、
前記端末状態監視部による監視先電話端末の不在解除の検出に応じて、当該監視先電話端末に対応する監視元電話端末を前記監視情報で確認し、当該監視先電話端末に対応する監視元電話端末へ当該監視先電話端末の不在解除を通知する端末状態通知部と、
監視先電話端末の通信可否を検査する端末検査部と
を備え、
前記端末状態監視部は、前記端末検査部により不在状態にある監視先電話端末の通信不可が検出された場合、前記監視情報において当該監視先電話端末に関する不在状態の登録を維持する
ことを特徴とする端末状態通知装置。
【請求項２】
請求項１に記載の端末状態通知装置において、
前記端末状態監視部は、端末検査部による通信可への復帰が検出された監視先電話端末からの不在解除を示す設定メッセージに応じて、当該監視先電話端末の不在解除を前記監視情報へ登録することを特徴とする端末状態通知装置。
【請求項３】
通信インターフェース部により、通信網を介して電話端末と接続し、当該電話端末との間で各種制御メッセージを送受信する通信ステップと、
記憶部により、状態監視の対象となる監視先電話端末に関する、当該監視先電話端末の状態監視を要求した監視元電話端末と、監視先電話端末の不在／不在解除を示す端末状態とを監視情報として記憶する記憶ステップと、
端末状態監視部により、監視先電話端末からの不在／不在解除を示す設定メッセージの受信に応じて、当該監視先電話端末の不在／不在解除の状態を検出し、この端末状態を当該監視先電話端末に関連付けて前記監視情報へ登録する端末状態監視ステップと、
端末状態通知部により、前記端末状態監視部による監視先電話端末の不在解除の検出に応じて、当該監視先電話端末に対応する監視元電話端末を前記監視情報で確認し、当該監視元電話端末へ当該監視先電話端末の不在解除を通知する端末状態通知ステップと、
端末検査部により、監視先電話端末の通信可否を検査する端末検査ステップと、
前記端末検査部により不在状態にある監視先電話端末の通信不可が検出された場合、前記端末状態監視部により、前記監視情報において当該監視先電話端末に関する不在状態の登録を維持する不在状態維持ステップと
を備えることを特徴とする端末状態通知方法。
【請求項４】
通信網を介して電話端末と接続し、当該電話端末との間で各種制御メッセージを送受信することにより、任意の電話端末の不在／不在解除を示す端末状態を他の電話端末へ通知する端末状態通知装置のコンピュータに、
記憶部により、状態監視の対象となる監視先電話端末に関する、当該監視先電話端末の状態監視を要求した監視元電話端末と、監視先電話端末の不在／不在解除を示す端末状態とを監視情報として記憶する記憶ステップと、
端末状態監視部により、監視先電話端末からの不在／不在解除を示す設定メッセージの受信に応じて、当該監視先電話端末の不在／不在解除の状態を検出し、この端末状態を当該監視先電話端末に関連付けて前記監視情報へ登録する端末状態監視ステップと、
端末状態通知部により、前記端末状態監視部による監視先電話端末の不在解除の検出に応じて、当該監視先電話端末に対応する監視元電話端末を前記監視情報で確認し、当該監視元電話端末へ当該監視先電話端末の不在解除を通知する端末状態通知ステップと、
端末検査部により、監視先電話端末の通信可否を検査する端末検査ステップと、
前記端末検査部により不在状態にある監視先電話端末の通信不可が検出された場合、前記端末状態監視部により、前記監視情報において当該監視先電話端末に関する不在状態の登録を維持する不在状態維持ステップと
を実行させるプログラム。
【発明の詳細な説明】
【技術分野】
【０００１】
本発明は、電話制御技術に関し、特に着信側電話端末の状態を発信側電話端末へ通知する端末状態通知技術に関する。
【背景技術】
【０００２】
一般的な電話装置では、不在時の着信を確認する機能として、着信履歴をメモリに記憶しておき、利用者の履歴閲覧操作に応じて、メモリから着信履歴を読み出してＬＣＤなどの表示部へ表示する機能がある。
また、このような着信履歴を利用して、利用者の操作に応じて、メモリに着信履歴として記憶されている発信者電話番号を読み出して自動発信する技術が提案されている（例えば、特許文献１など参照）。
【０００３】
【特許文献１】特開平３−２６８５５０号公報
【発明の開示】
【発明が解決しようとする課題】
【０００４】
このような従来技術では、着信側電話端末の利用者は着信履歴を閲覧することにより着信の有無を確認できるものの、発信側電話端末の利用者は着信側電話端末の状態を確認できない。このため、通信網に接続されている呼制御サーバにおいて、発信側電話端末からの監視要求に応じて、着信側電話端末からの通知に基づき当該端末の不在状態を監視し、着信側電話端末において不在状態が解除された場合には、その不在解除を発信側電話端末へ通知する方法が考えられる。
【０００５】
しかしながら、一般的な呼制御サーバでは、電話端末が回線から切り離されて未接続状態となった場合、当該電話端末に対する各種処理を終了する。したがって上記方法では、着信側電話端末に対する監視が継続されず、発信側電話端末に対して着信側電話端末の不在解除を適切に通知できないという問題点があった。
本発明はこのような課題を解決するためのものであり、発信側電話端末に対して着信側電話端末の不在解除を適切に通知できる端末状態通知装置および方法、プログラムを提供することを目的としている。
【課題を解決するための手段】
【０００６】
このような目的を達成するために、本発明にかかる端末状態通知装置は、通信網を介して電話端末と接続し、当該電話端末との間で各種制御メッセージを送受信する通信インターフェース部と、状態監視の対象となる監視先電話端末に関する、当該監視先電話端末の状態監視を要求した監視元電話端末と、監視先電話端末の不在／不在解除を示す端末状態とを監視情報として記憶する記憶部と、監視先電話端末からの不在／不在解除を示す設定メッセージの受信に応じて、当該監視先電話端末の不在／不在解除の状態を検出し、この端末状態を当該監視先電話端末に関連付けて監視情報へ登録する端末状態監視部と、端末状態監視部による監視先電話端末の不在解除の検出に応じて、当該監視先電話端末に対応する監視元電話端末を監視情報で確認し、当該監視先電話端末に対応する監視元電話端末へ当該監視先電話端末の不在解除を通知する端末状態通知部と、監視先電話端末の通信可否を検査する端末検査部とを備え、端末状態監視部で、端末検査部により不在状態にある監視先電話端末の通信不可が検出された場合、監視情報において当該監視先電話端末に関する不在状態の登録を維持する。
【０００７】
この際、端末状態監視部で、端末検査部による通信可への復帰が検出された監視先電話端末からの不在解除を示す設定メッセージに応じて、当該監視先電話端末の不在解除を監視情報へ登録するようにしてもよい。
【０００８】
また、本発明にかかる端末状態通知方法は、通信インターフェース部により、通信網を介して電話端末と接続し、当該電話端末との間で各種制御メッセージを送受信する通信ステップと、記憶部により、状態監視の対象となる監視先電話端末に関する、当該監視先電話端末の状態監視を要求した監視元電話端末と、監視先電話端末の不在／不在解除を示す端末状態とを監視情報として記憶する記憶ステップと、端末状態監視部により、監視先電話端末からの不在／不在解除を示す設定メッセージの受信に応じて、当該監視先電話端末の不在／不在解除の状態を検出し、この端末状態を当該監視先電話端末に関連付けて監視情報へ登録する端末状態監視ステップと、端末状態通知部により、端末状態監視部による監視先電話端末の不在解除の検出に応じて、当該監視先電話端末に対応する監視元電話端末を監視情報で確認し、当該監視元電話端末へ当該監視先電話端末の不在解除を通知する端末状態通知ステップと、端末検査部により、監視先電話端末の通信可否を検査する端末検査ステップと、端末検査部により不在状態にある監視先電話端末の通信不可が検出された場合、端末状態監視部により、監視情報において当該監視先電話端末に関する不在状態の登録を維持する不在状態維持ステップとを備えている。
【０００９】
また、本発明にかかるプログラムは、通信網を介して電話端末と接続し、当該電話端末との間で各種制御メッセージを送受信することにより、任意の電話端末の不在／不在解除を示す端末状態を他の電話端末へ通知する端末状態通知装置のコンピュータに、記憶部により、状態監視の対象となる監視先電話端末に関する、当該監視先電話端末の状態監視を要求した監視元電話端末と、監視先電話端末の不在／不在解除を示す端末状態とを監視情報として記憶する記憶ステップと、端末状態監視部により、監視先電話端末からの不在／不在解除を示す設定メッセージの受信に応じて、当該監視先電話端末の不在／不在解除の状態を検出し、この端末状態を当該監視先電話端末に関連付けて監視情報へ登録する端末状態監視ステップと、端末状態通知部により、端末状態監視部による監視先電話端末の不在解除の検出に応じて、当該監視先電話端末に対応する監視元電話端末を監視情報で確認し、当該監視元電話端末へ当該監視先電話端末の不在解除を通知する端末状態通知ステップと、端末検査部により、監視先電話端末の通信可否を検査する端末検査ステップと、端末検査部により不在状態にある監視先電話端末の通信不可が検出された場合、端末状態監視部により、監視情報において当該監視先電話端末に関する不在状態の登録を維持する不在状態維持ステップとを実行させる。
【発明の効果】
【００１０】
本発明によれば、端末状態監視部により、監視先電話端末からの不在／不在解除を示す設定メッセージの受信に応じて、当該監視先電話端末の不在／不在解除の状態が検出され、この端末状態が当該監視先電話端末に関連付けて監視情報へ登録され、端末状態通知部により、端末状態監視部による監視先電話端末の不在解除の検出に応じて、当該監視先電話端末に対応する監視元電話端末が監視情報で確認され、この監視元電話端末へ当該監視先電話端末の不在解除が通知される。
これに加え、端末検査部により、監視先電話端末の通信可否が検査され、端末検査部により不在状態にある監視先電話端末の通信不可が検出された場合、端末状態監視部により、監視情報において当該監視先電話端末に関する不在状態の登録が維持される。
【００１１】
これにより、端末状態通知装置において、不在モード設定状態にある監視先電話端末について通信不可が検出された場合でも、当該監視先電話端末に関する端末監視動作が継続されるため、その後、監視先電話端末が通信可状態となった場合にも、端末状態通知装置により監視先電話端末の不在状態を監視元電話端末に対して適切に通知することができる。
【発明を実施するための最良の形態】
【００１２】
次に、本発明の実施の形態について図面を参照して説明する。
［第１の実施の形態］
まず、図１を参照して、本発明の第１の実施の形態にかかる端末状態通知装置について説明する。図１は、本発明の第１の実施の形態にかかる端末状態通知装置の構成を示すブロック図である。
【００１３】
この端末状態通知装置１は、呼制御サーバなどの呼制御装置からなり、電話網（通信網）５を介して電話端末２，３と接続し、これら電話端末２，３との間で各種制御メッセージを送受信することにより、監視対象となる監視先電話端末の状態を監視元電話端末へ通知する機能を有している。なお、本発明の各実施の形態では、理解を容易とするため、監視元電話端末が電話端末２からなり、監視対象となる監視先電話端末が電話端末３からなる場合を例として説明する。
【００１４】
本実施の形態は、記憶部により、状態監視の対象となる監視先電話端末に関する、当該監視先電話端末の状態監視を要求した監視元電話端末と、監視先電話端末の不在／不在解除を示す端末状態とを監視情報として記憶し、端末状態監視部により、監視先電話端末からの不在／不在解除を示す設定メッセージの受信に応じて、当該監視先電話端末の不在／不在解除の状態を検出し、この端末状態を当該監視先電話端末に関連付けて監視情報へ登録し、端末状態通知部により、端末状態監視部による監視先電話端末の不在解除の検出に応じて、当該監視先電話端末に対応する監視元電話端末を監視情報で確認し、当該監視元電話端末へ当該監視先電話端末の不在解除を通知するようにしたものである。
これに加え、端末検査部により、監視先電話端末の通信可否を検査し、端末検査部により不在状態にある監視先電話端末の通信不可が検出された場合、端末状態監視部により、監視情報において当該監視先電話端末に関する不在状態の登録を維持するようにしたものである。
【００１５】
［端末状態通知装置（呼制御サーバ）］
次に、図１を参照して、本発明の第１の実施の形態にかかる端末状態通知装置の構成について詳細に説明する。本発明の第１の実施の形態にかかる端末状態通知装置は、端末状態通知装置が、ＳＩＰサーバなどのＩＰ電話システムで用いられる一般的な呼制御サーバに実装されている場合を示しており、以下、第１の実施の形態にかかる端末状態通知装置を呼制御サーバ１という。
【００１６】
呼制御サーバ（端末状態通知装置）１には、主な機能として、通信インターフェース部（以下、通信Ｉ／Ｆ部という）１１、記憶部１２、および制御部１３が設けられている。
通信Ｉ／Ｆ部１１は、専用のデータ通信回路からなり、電話網５を介して電話端末２，３とデータ通信を行うことにより各種制御メッセージを送受信する機能を有している。
記憶部１２は、ハードディスクやメモリなどの記憶装置からなり、制御部１３での各種処理に用いる処理情報やプログラム１２Ｐを記憶する機能を有している。プログラム１２Ｐは、制御部１３に読み出されて実行されることにより各種処理部を実現するプログラムであり、記録媒体や外部装置から予め読み込まれて記憶部１２に格納されている。
【００１７】
記憶部１２で記憶される主な処理情報として、呼制御情報１２Ａおよび監視情報１２Ｂがある。呼制御情報は、制御部１３での呼制御に用いる、発着信電話端末の電話番号や制御状態などの各種情報である。監視情報１２Ｂは、制御部１３での電話端末の監視に用いる各種情報である。図２は、監視情報の構成例である。ここでは、監視対象となる監視先電話端末の電話番号（識別情報）である監視先電話番号と、監視を要求した監視元電話端末の電話番号（識別情報）である監視元電話番号と、監視先電話端末の不在／不在解除の状態を示す監視先電話端末状態と、監視先電話端末の通信可否を示す監視先電話端末通信可否とが組として登録されている。
【００１８】
制御部１３は、ＣＰＵなどのマイクロプロセッサとその周辺回路を有し、記憶部１２のプログラム１２Ｐを読み込んで実行することにより、上記ハードウェアとプログラムとを協働させて各種処理部を実現する機能を有している。
制御部１３で実現される主な処理部として、呼制御部１３Ａ、監視要求受付部１３Ｂ、端末状態監視部１３Ｃ、端末状態通知部１３Ｄ、および端末検査部１３Ｅがある。
【００１９】
呼制御部１３Ａは、電話網５を介して接続された電話端末２，３との間で、通信Ｉ／Ｆ部１１を介して制御メッセージを送受信することにより、電話端末２，３に対する発信、着信、通話などの各種呼制御を行う機能を有している。
監視要求受付部１３Ｂは、任意の電話端末からの監視登録要求メッセージの受信に応じて、指定された監視先電話端末に当該任意の電話端末を監視元電話端末として関連付けて記憶部１２の監視情報１２Ｂへ登録する機能と、任意の電話端末からの監視解除要求メッセージの受信に応じて、指定された監視先電話端末に対する当該任意の電話端末による監視元電話端末の登録を監視情報１２Ｂから削除する機能と、任意の電話端末からの状態通知登録メッセージに応じて当該任意の電話端末に関するエントリを監視情報１２Ｂへ初期登録する機能とを有している。
【００２０】
端末状態監視部１３Ｃは、監視先電話端末からの不在／不在解除を示す設定メッセージの受信に応じて、当該監視先電話端末の不在／不在解除の状態を検出する機能と、検出した端末状態を当該監視先電話端末に関連付けて記憶部１２の監視情報１２Ｂへ登録する機能と、端末検査部１３Ｅにより不在状態にある監視先電話端末３の通信不可が検出された場合、監視情報１２Ｂにおいて当該監視先電話端末３に関する不在状態の登録を維持する機能とを有している。
端末状態通知部１３Ｄは、端末状態監視部１３Ｃによる監視先電話端末の不在解除の検出に応じて、当該監視先電話端末に対応する監視元電話端末を監視情報で確認する機能と、当該監視元電話端末へ当該監視先電話端末の不在解除を通知する機能とを有している。
【００２１】
端末検査部１３Ｅは、記憶部１２の監視情報１２Ｂに登録されている監視先電話端末３での通信可否を検出する機能を有している。監視先電話端末３の通信可否については、例えば電話網５を介して監視電話端末３から呼制御サーバ１へ接続通知メッセージを定期的に送信し、この接続通知メッセージを端末検査部１３Ｅで確認することにより検出できる。なお、ＩＰ電話システムにおける電話端末から呼制御サーバへの登録処理（レジストリ）などの公知の技術を利用してもよい。
【００２２】
［監視元電話端末］
次に、図３を参照して、本発明の第１の実施の形態にかかる監視元電話端末の構成について説明する。図３は、本発明の第１の実施の形態にかかる監視元電話端末の構成を示すブロック図である。
【００２３】
監視元電話端末である電話端末２には、主な機能部として、通信インターフェース部（以下、通信Ｉ／Ｆ部という）２１、音声処理部２２、表示部２３、操作入力部２４、記憶部２５、および制御部２６が設けられている。
通信Ｉ／Ｆ部２１は、専用のデータ通信回路からなり、電話回線２Ａおよび電話網５を介して呼制御サーバ１や電話端末３とデータ通信を行うことにより各種制御メッセージや音声パケットを送受信する機能を有している。
【００２４】
音声処理部２２は、専用の信号処理回路からなり、通信Ｉ／Ｆ部２１で受信された音声パケットを復号する機能と、この復号により得られた音声信号をスピーカ（図示せず）から出力する機能と、マイク（図示せず）から入力された音声信号を符号化する機能と、この符号化により得られた音声パケットを通信Ｉ／Ｆ部２１へ出力する機能と、制御部２６からの指示に応じて着信音などの各種音声信号をスピーカから出力する機能とを有している。
【００２５】
表示部２３は、ＬＣＤやＬＥＤなどの表示装置からなり、制御部２６からの指示に応じて、着信表示、当該電話端末２での監視要求状態を示す監視モードなどの当該電話端末２の状態や、電話網５を介して受信した監視先電話端末の状態や相手電話端末の電話番号などの各種情報を表示する機能を有している。
操作入力部２４は、操作キーやスイッチなどの操作検出回路からなり、ダイヤル操作、発信操作、応答操作、監視要求操作、監視解除操作などの利用者による各種操作を検出して制御部２６へ出力する機能を有している。
【００２６】
記憶部２５は、メモリやハードディスクなどの記憶装置からなり、制御部２６での各種処理に用いる処理情報やプログラム２５Ｐを記憶する機能を有している。プログラム２５Ｐは、制御部２６に読み出されて実行されることにより各種処理部を実現するプログラムであり、記録媒体や外部装置から予め読み込まれて記憶部２５に格納されている。
【００２７】
記憶部２５で記憶される主な処理情報として、呼制御情報２５Ａおよび監視処理情報２５Ｂがある。呼制御情報は、制御部２６での呼制御に用いる、当該電話端末２の制御状態など各種情報である。監視処理情報２５Ｂは、当該電話端末２による監視要求状態すなわち監視モードの設定（監視要求中）／解除（監視非要求）の状態や監視先電話端末の電話番号を示す情報である。図４は、監視処理情報の構成例である。ここでは、監視モードの設定／解除を示す監視モード情報と監視先電話番号とが登録されている。
【００２８】
制御部２６は、ＣＰＵなどのマイクロプロセッサとその周辺回路を有し、記憶部２５のプログラム２５Ｐを読み込んで実行することにより、上記ハードウェアとプログラムとを協働させて各種処理部を実現する機能を有している。
制御部２６で実現される主な処理部として、呼制御部２６Ａおよび監視処理部２６Ｂがある。
【００２９】
呼制御部２６Ａは、電話網５を介して接続された呼制御サーバ１との間で、通信Ｉ／Ｆ部２１を介して制御メッセージを送受信することにより、当該電話端末２での発信、着信、通話などの各種呼制御を行う機能を有している。
監視処理部２６Ｂは、操作入力部２４で検出された利用者による監視モード設定キーなどを用いた監視モード設定操作に応じて、監視対象となる監視先電話端末を指定した監視登録要求メッセージを、通信Ｉ／Ｆ部２１から電話網５を介して呼制御サーバ１へ送信する機能と、この監視登録要求メッセージに応じて返送された登録完了メッセージの受信に応じて監視モード設定および監視先電話番号を記憶部２５の監視処理情報２５Ｂへ登録する機能とを有している。
【００３０】
これに加え、監視処理部２６Ｂは、操作入力部２４で検出された利用者による監視モード設定キーなどを用いた監視モード解除操作に応じて、監視対象となる監視先電話端末を指定した監視解除要求メッセージを、通信Ｉ／Ｆ部２１から電話網５を介して呼制御サーバ１へ送信する機能と、この監視解除要求メッセージに応じて返送された登録完了メッセージの受信に応じて監視モード解除を記憶部２５の監視処理情報２５Ｂへ登録する機能と、監視モードの状態を表示部２３で表示する機能とを有している。
【００３１】
［監視先電話端末］
次に、図５を参照して、本発明の第１の実施の形態にかかる監視先電話端末の構成について説明する。図５は、本発明の第１の実施の形態にかかる監視先電話端末の構成を示すブロック図である。
【００３２】
監視対象となる監視先電話端末である電話端末３には、主な機能部として、通信インターフェース部（以下、通信Ｉ／Ｆ部という）３１、音声処理部３２、表示部３３、操作入力部３４、記憶部３５、および制御部３６が設けられている。
通信Ｉ／Ｆ部３１は、専用のデータ通信回路からなり、電話回線３Ａおよび電話網５を介して呼制御サーバ１や電話端末２とデータ通信を行うことにより各種制御メッセージや音声パケットを送受信する機能を有している。
【００３３】
音声処理部３２は、専用の信号処理回路からなり、通信Ｉ／Ｆ部３１で受信された音声パケットを復号する機能と、この復号により得られた音声信号をスピーカ（図示せず）から出力する機能と、マイク（図示せず）から入力された音声信号を符号化する機能と、この符号化により得られた音声パケットを通信Ｉ／Ｆ部３１へ出力する機能と、制御部３６からの指示に応じて着信音などの各種音声信号をスピーカから出力する機能とを有している。
【００３４】
表示部３３は、ＬＣＤやＬＥＤなどの表示装置からなり、制御部３６からの指示に応じて、着信表示、当該電話端末３での監視要求状態を示す監視モードなどの当該電話端末３の状態や、電話網５を介して受信した相手電話端末の電話番号などの各種情報を表示する機能を有している。
操作入力部３４は、操作キーやスイッチなどの操作検出回路からなり、ダイヤル操作、発信操作、応答操作、不在設定操作、不在解除操作などの利用者による各種操作を検出して制御部３６へ出力する機能を有している。
【００３５】
記憶部３５は、メモリやハードディスクなどの記憶装置からなり、制御部３６での各種処理に用いる処理情報やプログラム３５Ｐを記憶する機能を有している。プログラム３５Ｐは、制御部３６に読み出されて実行されることにより各種処理部を実現するプログラムであり、記録媒体や外部装置から予め読み込まれて記憶部３５に格納されている。
【００３６】
記憶部３５で記憶される主な処理情報として、呼制御情報３５Ａおよび不在処理情報３５Ｂがある。呼制御情報は、制御部３６での呼制御に用いる、当該電話端末３の制御状態など各種情報である。不在処理情報３５Ｂは、当該電話端末３における利用者不在の設定状態すなわち不在モードの設定（不在中）／解除（不在解除）の状態を示す情報である。図６は、不在処理情報の構成例である。ここでは、不在モードの設定／解除を示す不在モード情報が登録されている。
【００３７】
制御部３６は、ＣＰＵなどのマイクロプロセッサとその周辺回路を有し、記憶部３５のプログラム３５Ｐを読み込んで実行することにより、上記ハードウェアとプログラムとを協働させて各種処理部を実現する機能を有している。
制御部３６で実現される主な処理部として、呼制御部３６Ａ、不在処理部３６Ｂ、および接続処理部３６Ｃがある。
【００３８】
呼制御部３６Ａは、電話網５を介して接続された呼制御サーバ１との間で、通信Ｉ／Ｆ部３１を介して制御メッセージを送受信することにより、当該電話端末３での発信、着信、通話などの各種呼制御を行う機能を有している。
不在処理部３６Ｂは、操作入力部３４で検出された利用者による不在モード設定キーなどを用いた不在モード設定操作に応じて、利用者不在を示す不在登録メッセージを、通信Ｉ／Ｆ部３１から電話網５を介して呼制御サーバ１へ送信する機能と、この不在登録メッセージに応じて返送された登録完了メッセージの受信に応じて不在モード設定を記憶部３５の不在処理情報３５Ｂへ登録する機能とを有している。
【００３９】
これに加え、不在処理部３６Ｂは、操作入力部３４で検出された利用者による不在モード設定キーなどを用いた不在モード解除操作に応じて、利用者の在席や在宅を示す不在解除通知メッセージを、通信Ｉ／Ｆ部３１から電話網５を介して呼制御サーバ１へ送信する機能と、この不在解除通知メッセージに応じて返送された登録完了メッセージの受信に応じて不在モード解除を記憶部３５の不在処理情報３５Ｂへ登録する機能と、不在モードの状態を表示部３３で表示する機能とを有している。
接続処理部３６Ｃは、当該電話端末３が電話回線３Ａ（電話網５）に接続して正常通信可能であることを示す接続通知メッセージを、呼制御サーバ１に対して定期的に送信する機能を有している。
【００４０】
［第１の実施の形態の動作］
次に、図７〜図１２を参照して、本発明の第１の実施の形態にかかる端末状態通知装置の動作について説明する。図７は、本発明の第１の実施の形態にかかる端末状態通知装置での初期登録動作および不在登録動作を示すシーケンス図である。図８は、本発明の第１の実施の形態にかかる端末状態通知装置での監視登録動作を示すシーケンス図である。図９は、本発明の第１の実施の形態にかかる端末状態通知装置での端末状態通知動作を示すシーケンス図である。図１０は、本発明の第１の実施の形態にかかる端末状態通知装置での監視解除動作を示すシーケンス図である。図１１は、本発明の第１の実施の形態にかかる端末状態通知装置での端末検査動作を示すシーケンス図である。図１２は、本発明の第１の実施の形態にかかる端末状態通知装置での通信不可対応動作を示すシーケンス図である。
【００４１】
［初期登録動作］
まず、図７を参照して、本発明の第１の実施の形態にかかる端末状態通知装置（呼制御サーバ）１での初期登録動作について説明する。ここでは、監視元電話端末が電話端末２からなり、監視対象となる監視先電話端末が電話端末３からなる場合を例として説明する。
【００４２】
電話端末３の起動あるいは回線接続に応じて（ステップ１００）、電話端末３の制御部３６は、不在処理部３６Ｂにより、端末状態通知機能の利用を示す状態通知登録メッセージを、通信Ｉ／Ｆ部３１から電話網５を介して呼制御サーバ１へ送信する（ステップ１０１）。
呼制御サーバ１の制御部１３は、通信Ｉ／Ｆ部１１により電話端末３からの状態通知登録メッセージを受信した場合、監視要求受付部１３Ｂにより、その状態通知登録メッセージで指定された監視先の電話端末３に関するエントリを記憶部１２の監視情報１２Ｂへ初期登録する（ステップ１０２）。登録後、監視要求受付部１３Ｂは、通信Ｉ／Ｆ部１１から電話端末３へ登録完了メッセージを返送する（ステップ１０３）。
【００４３】
その後、電話端末３の制御部３６は、通信Ｉ／Ｆ部３１により呼制御サーバ１からの登録完了メッセージを受信した場合、不在処理部３６Ｂにより、利用者不在解除を示す不在解除通知メッセージを、通信Ｉ／Ｆ部３１から電話網５を介して呼制御サーバ１へ送信する（ステップ１０４）。
【００４４】
呼制御サーバ１の制御部１３は、通信Ｉ／Ｆ部１１により電話端末３からの不在解除通知メッセージを受信した場合、端末状態監視部１３Ｃにより、当該電話端末３の不在解除状態を検出し、その不在解除状態を当該電話端末３に関連付けて記憶部１２の監視情報１２Ｂへ登録する（ステップ１０５）。登録後、端末状態監視部１３Ｃは、通信Ｉ／Ｆ部１１から電話端末３へ不在解除通知メッセージを返送する（ステップ１０６）。
【００４５】
電話端末３の不在処理部３６Ｂは、通信Ｉ／Ｆ部３１により呼制御サーバ１からの不在解除通知メッセージを受信した場合、不在モード解除を記憶部３５の不在処理情報３５Ｂへ登録するとともに（ステップ１０７）、不在モード解除状態を表示部３３で表示し（ステップ１０８）、一連の不在解除動作を終了する。これにより、電話端末３および呼制御サーバ１の双方で不在モード解除状態となる。
【００４６】
［不在登録動作］
次に、図７を参照して、本発明の第１の実施の形態にかかる端末状態通知装置（呼制御サーバ）１での不在登録動作について説明する。
電話端末３の制御部３６は、不在モード解除状態において、利用者による不在設定操作が操作入力部３４で検出された場合（ステップ１１０）、不在処理部３６Ｂにより、利用者不在を示す不在登録メッセージを、通信Ｉ／Ｆ部３１から電話網５を介して呼制御サーバ１へ送信する（ステップ１１１）。
【００４７】
呼制御サーバ１の制御部１３は、通信Ｉ／Ｆ部１１により電話端末３からの不在登録メッセージを受信した場合、端末状態監視部１３Ｃにより、当該電話端末３の不在状態を検出し、その不在状態を当該電話端末３に関連付けて記憶部１２の監視情報１２Ｂへ登録する（ステップ１１２）。登録後、端末状態監視部１３Ｃは、通信Ｉ／Ｆ部１１から電話端末３へ不在登録通知メッセージを返送する（ステップ１１３）。
【００４８】
電話端末３の不在処理部３６Ｂは、通信Ｉ／Ｆ部３１により呼制御サーバ１からの登録完了メッセージを受信した場合、不在モード設定を記憶部３５の不在処理情報３５Ｂへ登録するとともに（ステップ１１４）、不在モード設定状態を表示部３３で表示し（ステップ１１５）、一連の不在登録動作を終了する。これにより、電話端末３および呼制御サーバ１の双方で不在モード設定状態となる。
【００４９】
［監視登録動作］
次に、図８を参照して、本発明の第１の実施の形態にかかる端末状態通知装置（呼制御サーバ）１での監視登録動作について説明する。
電話端末２の制御部２６は、利用者による電話端末３への発信操作が操作入力部２４で検出された場合（ステップ１２０）、呼制御部２６Ａにより、その発信操作で指定された電話端末３を発信先とする発信メッセージを、通信Ｉ／Ｆ部２１から電話網５を介して呼制御サーバ１へ送信する（ステップ１２１）。
【００５０】
呼制御サーバ１の制御部１３は、通信Ｉ／Ｆ部１１により電話端末２からの発信メッセージを受信した場合、呼制御部１３Ａにより、記憶部１２の監視情報１２Ｂを参照して、発信先として指定されている電話端末３の端末状態を確認する。ここで、電話端末３について不在登録を確認した場合（ステップ１２２）、電話端末３が応答できない状態にあることを示すビジーメッセージを電話端末２へ返送する（ステップ１２３）。
【００５１】
電話端末２の呼制御部２６Ａは、通信Ｉ／Ｆ部２１により呼制御サーバ１からのビジーメッセージを受信した場合、音声処理部２２によりスピーカから話中音（ビジートーン）を出力する。
その後、制御部２６は、利用者による監視モード設定操作が操作入力部２４で検出された場合（ステップ１２４）、監視処理部２６Ｂにより、監視対象となる監視先電話端末として電話端末３を指定した監視登録要求メッセージを、通信Ｉ／Ｆ部２１から電話網５を介して呼制御サーバ１へ送信する（ステップ１２５）。
【００５２】
呼制御サーバ１の制御部１３は、通信Ｉ／Ｆ部１１により電話端末２からの監視登録要求メッセージを受信した場合、監視要求受付部１３Ｂにより、その監視登録要求メッセージで指定された監視先の電話端末３に監視元の電話端末２を関連付けて記憶部１２の監視情報１２Ｂへ登録する（ステップ１２６）。登録後、監視要求受付部１３Ｂは、通信Ｉ／Ｆ部１１から電話端末２へ登録完了メッセージを返送する（ステップ１２７）。
【００５３】
電話端末２の監視処理部２６Ｂは、通信Ｉ／Ｆ部２１により呼制御サーバ１からの登録完了メッセージを受信した場合、監視モード設定を記憶部２５の監視処理情報２５Ｂへ登録するとともに（ステップ１２８）、監視モード設定状態を表示部２３で表示し（ステップ１２９）、一連の監視登録動作を終了する。これにより、電話端末２および呼制御サーバ１の双方で監視モード設定状態となる。
【００５４】
［不在解除動作］
次に、図９を参照して、本発明の第１の実施の形態にかかる端末状態通知装置（呼制御サーバ）１での不在解除動作について説明する。
電話端末３の制御部３６は、不在モード設定状態において、利用者による不在解除操作が操作入力部３４で検出された場合（ステップ１３０）、不在処理部３６Ｂにより、利用者不在解除を示す不在解除通知メッセージを、通信Ｉ／Ｆ部３１から電話網５を介して呼制御サーバ１へ送信する（ステップ１３１）。
【００５５】
呼制御サーバ１の制御部１３は、通信Ｉ／Ｆ部１１により電話端末３からの不在解除通知メッセージを受信した場合、端末状態監視部１３Ｃにより、当該電話端末３の不在解除状態を検出し、その不在解除状態を当該電話端末３に関連付けて記憶部１２の監視情報１２Ｂへ登録する（ステップ１３２）。登録後、端末状態監視部１３Ｃは、通信Ｉ／Ｆ部１１から電話端末３へ不在解除通知メッセージを返送する（ステップ１３３）。
【００５６】
電話端末３の不在処理部３６Ｂは、通信Ｉ／Ｆ部３１により呼制御サーバ１からの不在解除通知メッセージを受信した場合、不在モード解除を記憶部３５の不在処理情報３５Ｂへ登録するとともに（ステップ１３４）、不在モード解除状態を表示部３３で表示し（ステップ１３５）、一連の不在解除動作を終了する。これにより、電話端末３および呼制御サーバ１の双方で不在モード解除状態となる。
【００５７】
［端末状態通知動作］
次に、図９を参照して、本発明の第１の実施の形態にかかる端末状態通知装置（呼制御サーバ）１での端末状態通知動作について説明する。
呼制御サーバ１の制御部１３は、監視モード設定状態において、端末状態監視部１３Ｃにより、当該電話端末３の不在解除状態が検出された場合、端末状態通知部１３Ｄにより、その電話端末３に対応する監視元の電話端末２を記憶部１２の監視情報１２Ｂで確認し、電話端末３での不在解除を示す不在解除通知メッセージを、通信Ｉ／Ｆ部１１から電話網５を介して電話端末２へ送信する（ステップ１４０）。
【００５８】
電話端末２の制御部２６は、通信Ｉ／Ｆ部２１により呼制御サーバ１からの不在解除通知メッセージを受信した場合、監視処理部２６Ｂにより、監視先の電話端末３での不在解除状態を表示部２３で表示する（ステップ１４１）。この後、制御部２６は、利用者による発信操作が操作入力部２４で検出された場合（ステップ１４２）、呼制御部２６Ａにより、不在解除された電話端末３を発信先とする発信メッセージを、通信Ｉ／Ｆ部２１から電話網５を介して呼制御サーバ１へ送信する（ステップ１４３）。
【００５９】
呼制御サーバ１の制御部１３は、通信Ｉ／Ｆ部１１により電話端末２からの発信メッセージを受信した場合、呼制御部１３Ａにより、記憶部１２の監視情報１２Ｂを参照して、発信先である電話端末３の端末状態を確認する。ここで、電話端末３について不在解除を確認した場合（ステップ１４４）、電話端末２からの発信を通知する着信メッセージを、通信Ｉ／Ｆ部１１から電話網５を介して電話端末３へ送信する（ステップ１４５）。
【００６０】
電話端末３の制御部３６は、通信Ｉ／Ｆ部３１により呼制御サーバ１からの着信メッセージを受信した場合、呼制御部３６Ａにより、この電話端末２からの着信を表示部３３で表示する（ステップ１４６）。その後、制御部３６は、利用者による応答操作が操作入力部３４で検出された場合（ステップ１４７）、呼制御部３６Ａにより、着信への応答を示す応答メッセージを、通信Ｉ／Ｆ部から呼制御サーバ１へ返送する（ステップ１４８）。
【００６１】
これに応じて、この応答メッセージは、呼制御サーバ１の呼制御部１３Ａを介して電話端末２まで転送され（ステップ１４９）、電話網５を介して電話端末２，３間でネゴシエーションが行われた後、電話端末２，３間で通話が開始され（ステップ１５０）、一連の端末状態通知動作およびこれに続く発信動作が終了する。
【００６２】
［監視解除動作］
次に、図１０を参照して、本発明の第１の実施の形態にかかる端末状態通知装置（呼制御サーバ）１での監視解除動作について説明する。
電話端末２の制御部２６は、監視モード設定状態において、利用者による監視モード解除操作が操作入力部２４で検出された場合（ステップ１６０）、監視処理部２６Ｂにより、記憶部２５の監視処理情報２５Ｂから監視先の電話端末３を確認し、その電話端末３を指定した監視解除要求メッセージを、通信Ｉ／Ｆ部２１から電話網５を介して呼制御サーバ１へ送信する（ステップ１６１）。
【００６３】
呼制御サーバ１の制御部１３は、通信Ｉ／Ｆ部１１により電話端末２からの監視解除要求メッセージを受信した場合、監視要求受付部１３Ｂにより、その監視解除要求メッセージで指定された監視先の電話端末３に対する監視元電話端末２の登録を記憶部１２の監視情報１２Ｂから削除することにより監視登録を解除する（ステップ１６２）。登録解除後、監視要求受付部１３Ｂは、通信Ｉ／Ｆ部１１から電話端末２へ監視解除通知メッセージを返送する（ステップ１６３）。
【００６４】
電話端末２の監視処理部２６Ｂは、通信Ｉ／Ｆ部２１により呼制御サーバ１からの監視解除通知メッセージを受信した場合、監視モード解除を記憶部２５の監視処理情報２５Ｂへ登録するとともに（ステップ１６４）、監視モード解除状態を表示部２３で表示し（ステップ１６５）、一連の監視解除動作を終了する。これにより、電話端末２および呼制御サーバ１の双方で監視モード解除状態となる。
【００６５】
［端末検査動作］
次に、図１１を参照して、本発明の第１の実施の形態にかかる端末状態通知装置（呼制御サーバ）１での端末検査動作について説明する。
監視先電話端末３の制御部３６は、電話端末３の起動、回線接続、あるいは後述する更新タイマのタイムアウトに応じて、当該電話端末３が電話網５を介して通信可能であることを示す接続通知メッセージを送信する（ステップ１７０）。
【００６６】
呼制御サーバ１の制御部１３は、通信Ｉ／Ｆ部１１により任意の電話端末からの接続通知メッセージを受信した場合、端末検査部１３Ｅにより、記憶部１２の監視情報１２Ｂで当該任意の電話端末が監視先電話端末３と一致するかどうか確認し、その一致に応じて記憶部１２の監視情報１２Ｂのうち当該監視先電話端末３に関する監視先電話端末通信可否に対して通信可を登録する（ステップ１７１）。
【００６７】
登録後、端末検査部１３Ｅは、当該監視先電話端末３へ登録完了メッセージを返送するとともに（ステップ１７２）、制御部２６のタイマ機能（図示せず）により、監視タイマを起動する（ステップ１７３）。この監視タイマは、電話端末３からの接続通知メッセージの通知猶予期間を計時するためのタイマであり、監視先電話端末ごとに独立して起動される。監視タイマがタイムアップするまでに電話端末３からの接続通知メッセージを受信した場合、端末検査部１３Ｅは上記の通り電話端末３の通信可を登録して監視タイマを再起動する。また、監視タイマがタイムアップするまでに電話端末３からの接続通知メッセージを受信できなかった場合、端末検査部１３Ｅは電話端末３の通信不可を登録する。
【００６８】
電話端末３の制御部３６は、通信Ｉ／Ｆ部３１により呼制御サーバ１からの登録完了メッセージを受信した場合、接続処理部３６Ｃにより、制御部３６のタイマ機能（図示せず）により、更新タイマを起動する（ステップ１７４）。この更新タイマは、呼制御サーバ１に対して接続通知メッセージを送信する送信間隔を計時するためのタイマであり、呼制御サーバ１の監視タイマで計時する通知猶予期間より短い時間長を計時する。
【００６９】
これにより、電話端末３が電話回線３Ａを介して電話網５に接続されており、電話端末３自体が正常動作している場合には、通知猶予期間より短い送信間隔で電話端末３から呼制御サーバ１へ接続通知メッセージが繰り返し送信され、呼制御サーバ１において電話端末３の通信可が確認されることになる。また、電話端末３が電話回線３Ａから切り離された場合や電話端末３が正常動作していない場合、通知猶予期間内に接続通知メッセージが届かなくなるため、呼制御サーバ１において電話端末３の通信不可が確認されることになる。
【００７０】
呼制御サーバ１の端末検査部１３Ｅにおける端末検査動作については、これに限定されるものではなく、公知の通信手順を利用すればよい。例えば、ＩＰ電話システムにおける電話端末から呼制御サーバへの登録処理（レジストリ）では、電話端末から定期的に送信されるレジストリの登録更新要求メッセージに応じて、当該電話端末が呼制御サーバの呼制御下に属していることを確認している。したがって、上記接続通知メッセージに代えてレジストリの登録更新要求メッセージを利用すれば、上記のような監視先電話端末に対する端末検査処理を実現できる。
【００７１】
［端末検査動作］
次に、図１２を参照して、本発明の第１の実施の形態にかかる端末状態通知装置（呼制御サーバ）１での通信不可対応動作について説明する。
不在モード設定状態にある監視先電話端末３が電話回線３Ａから切り離された場合（ステップ１８０）、この電話端末３から呼制御サーバ１に対して接続確認メッセージが送信されなくなる。
【００７２】
呼制御サーバ１の端末検査部１３Ｅは、電話端末３に関する監視タイマのタイムアウトに応じて（ステップ１８１）、電話端末３の通信不可を記憶部１２の監視情報１２Ｂに登録する（ステップ１８２）。この際、端末検査部１３Ｅは、監視情報１２Ｂにより当該電話端末３の不在状態を確認し、電話端末３が不在モード設定状態にあることから、その不在モード設定状態を継続し（ステップ１８３）、一連の通信不可対応動作を終了する。これにより、不在モード設定状態にある電話端末３について通信不可が検出された場合でも、当該監視先電話端末３に関する端末監視動作が継続されるため、その後、監視先電話端末３が通信可状態となった場合にも、監視先電話端末の不在状態を適切に監視元電話端末へ通知できる。
【００７３】
［第１の実施の形態の効果］
このように、本実施の形態は、端末状態通知装置（呼制御サーバ）１において、端末状態監視部１３Ｃにより、監視先電話端末３からの不在／不在解除を示す設定メッセージの受信に応じて、当該監視先電話端末３の不在／不在解除の状態を検出し、この端末状態を当該監視先電話端末３に関連付けて記憶部１２の監視情報１２Ｂへ登録し、端末状態通知部１３Ｄにより、端末状態監視部１３Ｃによる監視先電話端末３の不在解除の検出に応じて、当該監視先電話端末３に対応する監視元電話端末２を監視情報で確認し、当該監視元電話端末２へ当該監視先電話端末３の不在解除を通知したものである。
【００７４】
これにより、不在中の電話端末３を監視先電話端末とする電話端末２からの監視登録により、端末状態通知装置（呼制御サーバ）１で電話端末３の状態が監視され、電話端末３での不在解除に応じて、電話端末２へその旨が通知される。したがって、電話端末３の不在解除を電話端末２で容易に確認することができ、相手が不在であるにもかかわらず再度発信したり、定期的に繰り返し発信する必要がなくなり、発信側利用者に対する操作や精神面での負担を大幅に削減することができる。
【００７５】
また、これに加え、端末検査部により、監視先電話端末の通信可否を検査し、端末検査部により不在状態にある監視先電話端末の通信不可が検出された場合、端末状態監視部により、監視情報において当該監視先電話端末に関する不在状態の登録を維持するようにしたものである。
【００７６】
これにより、端末状態通知装置（呼制御サーバ）１において、不在モード設定状態にある監視先電話端末３について通信不可が検出された場合でも、当該監視先電話端末３に関する端末監視動作が継続されるため、その後、監視先電話端末３が通信可状態となった場合にも、端末状態通知装置（呼制御サーバ）１により監視先電話端末３の不在状態を監視元電話端末２に対して適切に通知することができる。
【００７７】
また、本実施の形態では、端末状態通知装置（呼制御サーバ）１に端末状態通知装置を実装したので、複数の電話端末の不在状態を一括して管理することができる。また、電話端末に対して高度な機能を搭載する必要がなくなり、電話端末での処理負担を増大することなく、端末状態監視サービスを実現できる。
【００７８】
また、本実施の形態は、監視要求受付部１３Ｂにより、任意の電話端末からの監視登録要求メッセージの受信に応じて、指定された監視先電話端末に当該任意の電話端末を監視元電話端末として関連付けて監視情報へ登録するようにしたので、任意の電話端末からの所望の電話端末の状態監視を容易に登録することができる。
【００７９】
［第２の実施の形態］
次に、本発明の第２の実施の形態にかかる端末状態通知装置について説明する。
第１の実施の形態では、端末状態通知装置（呼制御サーバ）１の端末検査部１３Ｅにより不在モード設定状態にある監視先電話端末３の通信不可が検出された場合、端末状態監視部１３Ｃにより、記憶部１２の監視情報１２Ｂにおいて当該監視先電話端末３に関する不在モード設定状態の登録を維持する場合について説明した。本実施の形態では、監視先電話端末３の通信可状態への復帰に応じて監視元電話端末２へ不在解除を通知する場合について説明する。
【００８０】
本実施の形態にかかる呼制御サーバ（端末状態通知装置）１には、第１の実施の形態の構成に加え、次のような構成を備えている。
端末状態監視部１３Ｃは、端末検査部１３Ｅによる通信可への復帰が検出された監視先電話端末３からの不在解除を示す不在解除設定メッセージに応じて、当該監視先電話端末３の不在解除を記憶部１２の監視情報１２Ｂへ登録する機能を有している。
端末状態通知部１３Ｄは、上記端末状態監視部１３Ｃによる監視先電話端末３の不在解除の検出に応じて、当該監視先電話端末３に対応する監視元電話端末２を監視情報で確認する機能と、当該監視元電話端末２へ当該監視先電話端末３の不在解除を通知する機能とを有している。
【００８１】
また、監視先電話端末３の不在処理部３６Ｂは、当該電話端末３の起動時あるいは回線接続時に、利用者の在席や在宅を示す不在解除通知メッセージを、通信Ｉ／Ｆ部３１から電話網５を介して呼制御サーバ１へ送信する機能を有している。
なお、本実施の形態にかかる呼制御サーバ（端末状態通知装置）１に関する上記以外の構成については、第１の実施の形態と同様であり、ここでの詳細な説明は省略する。
【００８２】
［第２の実施の形態の動作］
次に、図１３を参照して、本発明の第２の実施の形態にかかる端末状態通知装置の動作について説明する。図１３は、本発明の第２の実施の形態にかかる端末状態通知装置の端末状態通知動作を示すシーケンス図である。
【００８３】
監視先電話端末３が電話回線３Ａに再接続された場合（ステップ２００）、監視先電話端末３の制御部３６は、不在処理部３６Ｂにより、端末状態通知機能の利用を示す状態通知登録メッセージを、通信Ｉ／Ｆ部３１から電話網５を介して呼制御サーバ１へ送信する（ステップ２０１）。
【００８４】
呼制御サーバ１の制御部１３は、通信Ｉ／Ｆ部１１により電話端末３からの状態通知登録メッセージを受信した場合、監視要求受付部１３Ｂにより、その状態通知登録メッセージで指定された監視先の電話端末３に関するエントリの有無を記憶部１２の監視情報１２Ｂで確認し、すでに存在する電話端末３のエントリを利用した登録更新を行う（ステップ２０２）。登録後、監視要求受付部１３Ｂは、通信Ｉ／Ｆ部１１から電話端末３へ登録完了メッセージを返送する（ステップ２０３）。
【００８５】
その後、電話端末３の制御部３６は、通信Ｉ／Ｆ部３１により呼制御サーバ１からの登録完了メッセージを受信した場合、不在処理部３６Ｂにより、利用者不在解除を示す不在解除通知メッセージを、通信Ｉ／Ｆ部３１から電話網５を介して呼制御サーバ１へ送信する（ステップ２０４）。
【００８６】
呼制御サーバ１の制御部１３は、通信Ｉ／Ｆ部１１により電話端末３からの不在解除通知メッセージを受信した場合、端末状態監視部１３Ｃにより、当該電話端末３の不在解除状態を検出し、その不在解除状態を当該電話端末３に関連付けて記憶部１２の監視情報１２Ｂへ登録する（ステップ２０５）。登録後、端末状態監視部１３Ｃは、通信Ｉ／Ｆ部１１から電話端末３へ不在解除通知メッセージを返送する（ステップ２０６）。
【００８７】
電話端末３の不在処理部３６Ｂは、通信Ｉ／Ｆ部３１により呼制御サーバ１からの不在解除通知メッセージを受信した場合、不在モード解除を記憶部３５の不在処理情報３５Ｂへ登録するとともに（ステップ２０７）、不在モード解除状態を表示部３３で表示し（ステップ２０８）、一連の不在解除動作を終了する。これにより、電話端末３および呼制御サーバ１の双方で不在モード解除状態となる。
【００８８】
一方、呼制御サーバ１の端末状態通知部１３Ｄは、端末状態監視部１３Ｃによる通信可状態へ復帰した監視先電話端末３の不在解除の検出に応じて、その電話端末３に対応する監視元の電話端末２を記憶部１２の監視情報１２Ｂで確認し、電話端末３での不在解除を示す不在解除通知メッセージを、通信Ｉ／Ｆ部３１から電話網５を介して電話端末２へ送信する（ステップ２１０）。
電話端末２の制御部２６は、通信Ｉ／Ｆ部２１により呼制御サーバ１からの不在解除通知メッセージを受信した場合、監視処理部２６Ｂにより、監視先の電話端末３での不在解除状態を表示部２３で表示する（ステップ２１１）。
【００８９】
［第２の実施の形態の効果］
このように、本実施の形態は、端末状態通知装置（呼制御サーバ）１において、端末状態監視部１３Ｃにより、端末検査部１３Ｅで通信可への復帰が検出された監視先電話端末３からの不在解除を示す設定メッセージに応じて、当該監視先電話端末３の不在解除を記憶部１２の監視情報１２Ｂへ登録するようにしたので、この不在解除の登録に応じて、端末状態通知部１３Ｄにより、監視先電話端末３に対応する監視元電話端末２に対して、監視先電話端末３の不在解除が自動的に通知される。
【００９０】
これにより、監視先電話端末３が通信可能状態へ復帰した時点で、その不在解除が監視元電話端末２へ自動的に通知することができ、監視先電話端末３の利用者が不在解除操作を忘れていた場合でも、不在モード設定状態の無効な継続を回避できる。
【００９１】
［実施の形態の拡張］
以上の各実施の形態では、電話網５がＩＰ電話網からなるＩＰ電話システムを例として説明したが、これに限定されるものではない。電話網５としては、呼制御サーバ１と電話端末２，３との間でデータ通信を行うことにより各種制御メッセージを送受信できる、ＩＰ網やＩＳＤＮ網などの公知の通信ネットワークを利用でき、前述と同様の作用効果が得られる。
【００９２】
また、電話端末３が社内や宅内のＬＡＮなどのＩＰ網を介して電話網５に接続され、そのＩＰ網に呼制御サーバ（端末状態通知装置）が接続されている、ＰＢＸシステムやボタン電話システムなどのＩＰ電話システムにも、本発明の各実施の形態を適用でき、前述と同様の作用効果が得られる。この場合には、監視元電話端末が監視先電話端末２と同じＩＰ電話システムの内線電話端末であってもよく、前述した各実施の形態のように、電話網５を介して接続される電話端末であってもよい。
【００９３】
また、各実施の形態では、端末状態通知装置が呼制御サーバ１に実装されている場合を例として説明したが、端末状態通知装置を呼制御サーバ１から独立した装置として電話網５に接続してもよい。この場合には、各実施の形態で説明した端末状態通知装置から呼制御サーバの機能が分離した構成となる。これにより、端末状態通知装置を電話網５に追加接続するだけで済み、既存の呼制御サーバを変更することなく、端末状態監視サービスを実現できる。
【００９４】
また、第２の実施の形態では、監視先電話端末３の通信可状態への復帰に応じて監視元電話端末２へ不在解除を通知する場合について説明したが、この通信復帰時の不在解除通知については、電話端末３での機能設定操作により、通信復帰時に不在解除通知を自動的に行うかどうかを設定できるようにしてもよい。
また、第２の実施の形態において、監視先電話端末３の通信可状態への復帰を呼制御サーバ１の端末検査部１３Ｅで検出した場合、端末状態監視部１３Ｃにより、記憶部１２の監視情報１２Ｂで監視先電話端末３の不在状態を確認し、その不在状態を監視先電話端末３へ通知して、監視先電話端末３の不在モードを呼制御サーバ１から更新してもよい。これにより、呼制御サーバ１と監視先電話端末３との不在モードを自動的に一致させることができる。
【００９５】
また、各実施の形態において、任意の電話端末から監視登録要求メッセージを受信した際、予め登録されている迷惑リストと要求元電話端末の電話番号とを比較し、要求元電話端末の電話番号が迷惑リストに含まれている場合には、監視登録を行わないなどの選択処理を実行しても設けてもよい。これにより、特定の電話端末に対する端末状態通知サービスを停止することができ、高いセキュリティ性を実現できる。
【００９６】
また、各実施の形態では、監視元電話端末２における監視登録要求の際、監視先電話端末の電話番号をダイヤルキー等で操作入力してもよいが、ビジートーン送出中の監視モード設定操作に応じて、表示部２３に表示されている、通話接続に失敗した発信先電話端末の電話番号を監視先電話端末の電話番号として用いることによりダイヤル入力操作を省くことができる。
【００９７】
また、各実施の形態では、監視元電話端末２における不在解除通知後の発信の際、監視先電話端末の電話番号をダイヤルキー等で操作入力してもよいが、不在解除表示中の発信操作に応じて、表示部２３に表示されている、不在解除で通知された監視先電話端末の電話番号を発信先電話端末の電話番号として用いることによりダイヤル入力操作を省くことができる。
【図面の簡単な説明】
【００９８】
【図１】本発明の第１の実施の形態にかかる端末状態通知装置の構成を示すブロック図である。
【図２】監視情報の構成例である。
【図３】本発明の第１の実施の形態にかかる監視元電話端末の構成を示すブロック図である。
【図４】監視処理情報の構成例である。
【図５】本発明の第１の実施の形態にかかる監視先電話端末の構成を示すブロック図である。
【図６】不在処理情報の構成例である。
【図７】本発明の第１の実施の形態にかかる端末状態通知装置での初期登録動作および不在登録動作を示すシーケンス図である。
【図８】本発明の第１の実施の形態にかかる端末状態通知装置での監視登録動作を示すシーケンス図である。
【図９】本発明の第１の実施の形態にかかる端末状態通知装置での端末状態通知動作を示すシーケンス図である。
【図１０】本発明の第１の実施の形態にかかる端末状態通知装置での監視解除動作を示すシーケンス図である。
【図１１】本発明の第１の実施の形態にかかる端末状態通知装置での端末検査動作を示すシーケンス図である。
【図１２】本発明の第１の実施の形態にかかる端末状態通知装置での通信不可対応動作を示すシーケンス図である。
【図１３】本発明の第２の実施の形態にかかる端末状態通知装置の端末状態通知動作を示すシーケンス図である。
【符号の説明】
【００９９】
１…呼制御サーバ（端末状態通知装置）、１１…通信Ｉ／Ｆ部、１２…記憶部、１２Ａ…呼制御情報、１２Ｂ…監視情報、１２Ｐ…プログラム、１３…制御部、１３Ａ…呼制御部、１３Ｂ…監視要求受付部、１３Ｃ…端末状態監視部、１３Ｄ…端末状態通知部、１３Ｅ…端末検査部、２…電話端末（監視元）、２Ａ…電話回線、２１…通信Ｉ／Ｆ部、２２…音声処理部、２３…表示部、２４…操作入力部、２５…記憶部、２５Ａ…呼制御情報、２５Ｂ…監視処理部、２５Ｐ…プログラム、２６…制御部、２６Ａ…呼制御部、２６Ｂ…監視処理部、３…電話端末（監視先）、３Ａ…電話回線、３１…通信Ｉ／Ｆ部、３２…音声処理部、３３…表示部、３４…操作入力部、３５…記憶部、３５Ａ…呼制御情報、３５Ｂ…不在処理情報、３５Ｐ…プログラム、３６…制御部、３６Ａ…呼制御部、３６Ｂ…不在処理部、３６Ｃ…接続処理部。
【図１】
2008252206.tif 000003
【図２】
2008252206.tif 000004
【図３】
2008252206.tif 000005
【図４】
2008252206.tif 000006
【図５】
2008252206.tif 000007
【図６】
2008252206.tif 000008
【図７】
2008252206.tif 000009
【図８】
2008252206.tif 000010
【図９】
2008252206.tif 000011
【図１０】
2008252206.tif 000012
【図１１】
2008252206.tif 000013
【図１２】
2008252206.tif 000014
【図１３】
2008252206.tif 000015